(57)【特許請求の範囲】
【請求項１】
座部、背もたれ及び左右の肘掛け部を有する椅子（１）と板状の足乗せ台（２）とを含む下肢運動椅子において、前記左右の肘掛け部のそれぞれの先端部分に所定の間隔で前後２点の回動自在な上部回転軸（４，５）を設け、前記足乗せ台（２）の左右の先端部にそれぞれ所定の間隔で前後２点の回動自在な下部回転軸（８，９）を設けて、前記上部回転軸（４，５）と前記下部回転軸（８，９）とを、左右対で前後２本の支持具（６，７）で個々に接続し、前記足乗せ台（２）に羅患足と健足の両足を同時に乗せて、前記健足で前記足乗せ台（２）を前後に動揺させることを特徴とする下肢運動椅子。
【請求項２】
前記上部回転軸（４，５）の前後２点の間隔を下部回転軸（８，９）の前後２点の間隔よりも大きくしたことを特徴とする請求項１記載の下肢運動椅子。
【発明の詳細な説明】
【技術分野】
【０００１】
本発明は、脳梗塞等の後遺症で麻痺した下肢の関節運動を自力で行う下肢運動椅子に関する。
【背景技術】
【０００２】
従来、下肢関節の機能回復訓練装置等は、罹患足に対して動力及び手駆動機構による発明がなされている。
【特許文献１】特開２００２−２００１９３
【特許文献２】特開昭５７−１２８１５４
【発明の開示】
【発明が解決しようとする課題】
【０００３】
脳梗塞等の後遺症で麻痺した下肢は、放任すると筋及び腱の萎縮が進行して関節は凝固
し、運動が制限されて来るのは必然である。そこで、従来より関節の凝固を防止するため、罹患足に対して関節の運動を主体に物療士やリハビリ訓練士、又は機械、機具等により治療が行われて来た。
【０００４】
その反面、罹患足だけに関心が向けられ、健足には何の対処も施されて来なかったのが現状である。
【０００５】
しかし長期間放任された状態では、健足も衰弱し次第に脚力は低下して最悪の場合起立すら困難になる事は明白である。
【０００６】
歩行動作において、罹患足を補う健足の脚力は必要不可欠であり、健足の衰弱を防止する対策を施し、脚力の維持増進を計る事が重要である。
【０００７】
又、罹患した下肢は麻痺のため、自力では関節の運動動作が出来ない。そのため関節運動を行うにはすべて他力に頼るほか方法がないのが現状である。
【０００８】
自分の意志ではどうすることもできない他人まかせの受動的対応は、心身に物体的な感覚が芽生え諦めから精気を失い廃人同様な姿である。
【０００９】
麻痺した下肢の回復には時間を要し、長期間にわたって治療を受け続けなければならず、治療を持続し回復を効果的に導くには、本人の治療に対する意欲の高揚が必要である。
【００１０】
関節の凝固防止と血行を促す関節運動は、治療に欠く事の出来ない療法であり、治療に対する自立心の高揚と他力に頼る事なく自力で麻痺した関節の運動を行う事が出来る方法と、健足の衰弱を防止する対応策が課題である。
【００１１】
又、椅子に腰掛ける動作において、足乗せ台２が座部１１の先端より前方に位置した場合、体重の重心が座部１１より離れるため腰を下ろす時に不安定になる欠点がある。
【課題を解決するための手段】
【００１２】
座部と背もたれを有する椅子１に、左右対に複数の上部回転軸（４、５）、支持具（６、７）、下部回転軸（８、９）を介して前後に動揺する足乗せ台２を設ける。
【００１３】
左右対の支持具７に足乗せ台２の動揺に抵抗するバネ１２を設ける。
【００１４】
左右対の支持具７を中間で分離して蝶番１０で接続する。
【００１５】
以上の構成よりなる椅子１に座り足乗せ台２に罹患足と健足を乗せて健足で足乗せ台２を前後に動揺させ麻痺した下肢関節の運動を自力で行う。
【発明の効果】
【００１６】
椅子１に座り、足乗せ台２に罹患足と健足の両足を乗せ、健足で足乗せ台２を揺らすことにより、罹患足の関節運動が発生し、他力に頼ることなく自力で、麻痺した罹患足の関節運動が実現できる。
【００１７】
又、健足の力を利用するので健足の筋力が向上し、脚力の維持増進が計られる。
【００１８】
足乗せ台２の支持具（６、７）の上部回転軸（４、５）及び下部回転軸（８、９）の回転軸が前後２点にあるため、足乗せ台２の前後の動揺に際して足乗せ台２の角度が強制的に変位する。たとえば前に出た時は鈍角となり、後ろに後退した時は鋭角となる。このため足関節の可動運動が発生し、足関節及び膝関節が同時に運動できる。
【００１９】
又、動揺する足乗せ台２の左右の支持具７に設けたバネ１２の抵抗により健足に負担が掛かり、健足の筋力を効果的に向上させることができる。
【００２０】
従来、罹患足の運動は、他力に頼る他方法がなく、自分の意志ではどうすることもできなかった他人まかせの受動的立場から一変して、自分の意志で能動的的に行う事ができるので実感が湧き、治療意欲が高揚する。
【００２１】
椅子に座って行う事が出来る本療法は、体重が掛からないので運動に負担が掛からず、歩行動作が出来ない人、出来る人に関わらずすべての罹患者に対応することが可能である。
【００２２】
家の中で場所を選ばずできる本療法は、季節、天候、時間に関係なく自由に長時間、たとえばテレビを見ながら、しかも罹患足と健足の両足を同時に運動して、それぞれに改善することが出来る。
【００２３】
図２は、足乗せ台２を移動させた状態の側面図である。足乗せ台２の位置を移動させられることにより体重の重心を座部１１に近づけられるので、安定した腰掛け動作が出来る。
腰掛け後は、足を前方に移動させれば自然に足乗せ台２は元の位置にもどるので、そこで両足を乗せる。又、椅子１から離れるときは両足を足乗せ台２から離し足乗せ台２を足で移動させ体重の重心を座部１１に近づけて立てば安定した起立動作が出来る。
【発明を実施するための最良の形態】
【００２４】
左右対の支持具６、７の上部回転軸４、５の位置は、椅子に座った状態の膝関節より上部に位置した方が足乗せ台２を前後に揺らしたとき動揺が大きく得られるので良い。
【００２５】
左右対の支持具６、７の間隔は、１５〜２０センチメートル前後が適当である。なお、下部回転軸８、９より上部回転軸４、５の間隔が広ければ足乗せ台２が前後に動揺した時角度が大きく得られる。・
【００２６】
左右対の支持具７の分離は、座部１１より下部で分離して蝶番１０で接続する。
【００２７】
足乗せ台２の動揺に抵抗するバネ１２は、左右対の支持具７を分離して蝶番１０で接続した上部と座部１１の左右の下部の間に設置した方が良い。そして座部１１の１３、１４、１５のフックに任意にバネの設定位置を変えることによってバネ１２の強弱が得られ各人の能力によって選択することが出来る。
【実施例１】
【００２８】
座部と背もたれを有する椅子１に左右対に複数の上部回転軸４、５支持具６、７下部回転軸８、９を介して前後に動揺する足乗せ台２を設ける。
【００２９】
左右対の支持具７と座部１１の左右の下部の間に足乗せ台２の動揺に抵抗するバネ１２を設ける。
【００３０】
左右対の支持具７は座部１１より下部で分離して蝶番１０で接続する。
【実施例２】
【００３１】
座部１１の左右の下部に、１３、１４、１５と任意にバネ１２のフックを設ける。
【産業上の利用可能性】
【００３２】
脚力の維持、向上が出来る本発明の下肢運動椅子は、脚力の低下に悩んでいる人達にも活用が可能である。
【図面の簡単な説明】
【００３３】
【図１】本発明の斜視図
【図２】足乗せ台２を移動させた状態の側面図
【符号の説明】
【００３４】
１                椅子
２                足乗せ台
４、５            上部回転軸
６、７            支持具
８、９            下部回転軸
１０              蝶番
１１              座部
１２              バネ
１３、１４、１５  フック
【図１】
0004541334.tif 000002
【図２】
0004541334.tif 000003